(57)【要約】      （修正有）【課題】被せ蓋が着脱自在のハンドバッグにおいて、被せ蓋の先端側をハンドバッグ本体の正面壁に、着脱自在に固定することができ、しかも着脱が容易であり、かつ脱着したときに留め具が外部に露出しない、ハンドバッグを提供する。【解決手段】ハンドバッグ本体１の上端の開口７を覆う被せ蓋３は、ハンドバッグ本体１の背面壁に、ホックにより着脱自在である。被せ蓋３の先端側には、磁石２３が裏生地の内側に設けられている。ハンドバッグ本体１の正面壁２０にも、磁石２１が表生地の内側に設けられている。磁石２１、２３は、いずれも外部に露出しない。被せ蓋３を閉じると、磁石２１と磁石２３とが、磁力により互いに吸引し合い、互いに固定される。それにより、被せ蓋３が閉じた状態に保持される。被せ蓋３が開くように、先端側を引くことにより、磁石２１と磁石２３の固定状態は容易に解除される。【選択図】図１
0003199807.tif 000002
【実用新案登録請求の範囲】
【請求項１】
上端に開口が形成されたハンドバッグ本体と、
前記ハンドバッグ本体の背面壁に、基端側が着脱自在であり、装着されたときに、前記開口を開閉自在に覆うシート状の被せ蓋と、を備え、
前記ハンドバッグ本体は、正面壁に設けられた第１磁石を有し、
前記被せ蓋は、先端側に設けられ、磁力により前記第１磁石に着脱自在に固定される第２磁石を有し、
前記第１磁石は、前記被せ蓋を開いたときにも外部から見えないように、前記ハンドバッグ本体の前記正面壁の表生地より内側に設けられ、
前記第２磁石は、前記被せ蓋を開いたときにも外部から見えないように、前記被せ蓋の裏生地よりも内側に設けられている、ハンドバッグ。
【請求項２】
前記ハンドバッグ本体の前記正面壁は、表側から順に、表生地、クッション性シート、シート状芯材、及び裏生地を有する積層構造をなしており、
前記クッション性シートには、前記シート状芯材に向き合う面が、局部的に表側へ後退してなる後退部が形成されており、
前記第１磁石は、前記後退部へ収容されており、かつ前記シート状芯材に固定されている、請求項１に記載のハンドバッグ。
【請求項３】
前記被せ蓋は、表側から順に、表生地、クッション性シート、シート状芯材、及び裏生地を有する積層構造をなしており、
前記第２磁石は、前記被せ蓋の前記裏生地と前記シート状芯材との間に設置され、かつ前記シート状芯材に固定されている、請求項１又は２に記載のハンドバッグ。
【請求項４】
前記第１磁石と前記２磁石とは、ともに板状であり、平坦な主面同士が互いに引き合う、請求項１から３のいずれかに記載のハンドバッグ。
【請求項５】
前記被せ蓋の前記基端側は、ホックにより、前記ハンドバッグ本体の前記背面壁に着脱自在である、請求項１から４のいずれかに記載のハンドバッグ。
【請求項６】
前記被せ蓋と取り替え可能であり、かつ表面のデザインが異なる別の被せ蓋を、さらに備える、請求項１から５のいずれかに記載のハンドバッグ。
【考案の詳細な説明】
【技術分野】
【０００１】
本考案は、ハンドバッグに関し、特に、被せ蓋を交換可能としたハンドバッグに関する。
【背景技術】
【０００２】
従来、ハンドバッグは、携行する場面や服装により、デザインに適不適があるため、一人で何種類も保有する必要があり、出費を要するものであった。フォーマルバッグと称され、フォーマルウェア（正装）とともに使用されるハンドバッグは、冠婚葬祭など、携行すべき場面に適合したものであることが特に求められる一方、高価であることから、格別に高負担を要するものとなっていた。
【０００３】
このような問題を解決しようとするものとして、特許文献１に開示されるハンドバッグが知られている。この従来技術によるハンドバッグは、ハンドバッグ本体の上端開口部を開閉自在に覆う被せ蓋が、取り替え可能なように構成されている。デザインの異なる被せ蓋を取り替えて使用することにより、単一のハンドバッグ本体を、様々な場面に共通に使用することが可能となっている。
【０００４】
特許文献１に開示されるハンドバッグは、被せ蓋の基端側をハンドバッグ本体の背面壁に着脱自在に固定する留め具として、面ファスナー、ボタンの他に、磁石が例示されている（特許文献１の段落００１０参照）。しかし、これらの留め具は、着脱が容易であるという利点がある一方、外したとき（すなわち、脱着したとき）に外部に露出し、しかも見栄えが良くないために、被せ蓋の先端側をハンドバッグ本体の正面壁に着脱自在に固定する留め具に転用するには、相応しくないものとなっていた。
【先行技術文献】
【特許文献】
【０００５】
【特許文献１】実開平５−２１７１８号公報
【考案の概要】
【考案が解決しようとする課題】
【０００６】
本考案は上記の問題点に鑑みてなされたもので、被せ蓋が着脱自在のハンドバッグにおいて、被せ蓋の先端側をハンドバッグ本体の正面壁に、着脱自在に固定することができ、しかも着脱が容易であり、かつ脱着したときに留め具が外部に露出しない、ハンドバッグを提供することを目的とする。
【課題を解決するための手段】
【０００７】
上記課題を解決し上記目的を達成するために、本考案のうち第１の態様によるものは、ハンドバッグであって、上端に開口が形成されたハンドバッグ本体と、前記ハンドバッグ本体の背面壁に、基端側が着脱自在であり、装着されたときに、前記開口を開閉自在に覆うシート状の被せ蓋と、を備えている。前記ハンドバッグ本体は、正面壁に設けられた第１磁石を有している。また、前記被せ蓋は、先端側に設けられ、磁力により前記第１磁石に着脱自在に固定される第２磁石を有している。前記第１磁石は、前記被せ蓋を開いたときにも外部から見えないように、前記ハンドバッグ本体の前記正面壁の表生地より内側に設けられている。また、前記第２磁石は、前記被せ蓋を開いたときにも外部から見えないように、前記被せ蓋の裏生地よりも内側に設けられている。
【０００８】
この構成によれば、被せ蓋がハンドバッグ本体に着脱自在であり、装着された被せ蓋は、ハンドバッグ本体の上端の開口を開閉する被せ蓋として機能する。第２磁石を第１磁石に固定させることにより、被せ蓋を閉じた状態に維持することができる。すなわち、第１及び第２磁石は留め具として機能する。被せ蓋を、デザインの異なる別の被せ蓋に交換することにより、共通のハンドバッグ本体を、多様な場面に使用することが可能となる。第２磁石は、磁力により第１磁石に着脱自在に固定されるので、被せ蓋の先端側をハンドバッグ本体の正面壁に、着脱自在に固定することができ、しかも着脱が容易である。さらに、第１磁石は、被せ蓋を開いたときにも外部から見えないように、ハンドバッグ本体の正面壁の表生地より内側に設けられているので、第１及び第２磁石を脱着し、被せ蓋を開いたときにも、第１磁石は正面壁の表生地に隠れており、外部に露出しない。同じく、第２磁石は、被せ蓋を開いたときにも外部から見えないように、被せ蓋の裏生地よりも内側に設けられているので、第１及び第２磁石を脱着し、被せ蓋を開いたときにも、第２磁石は被せ蓋の裏生地に隠れており、外部に露出しない。
【０００９】
本考案のうち第２の態様によるものは、第１の態様によるハンドバッグであって、前記ハンドバッグ本体の前記正面壁は、表側から順に、表生地、クッション性シート、シート状芯材、及び裏生地を有する積層構造をなしている。また、前記クッション性シートには、前記シート状芯材に向き合う面が、局部的に表側へ後退してなる後退部が形成されている。さらに、前記第１磁石は、前記後退部へ収容されており、かつ前記シート状芯材に固定されている。
【００１０】
この構成によれば、ハンドバッグ本体の正面壁が、表裏の生地のほかに、クッション性シートとシート状芯材とを有する積層構造をなすので、ハンドバッグに相応しく、柔軟性と形態性とを併せ持つ。第１磁石は、シート状芯材に向き合うクッション性シートの面が、局部的に表側へ後退した後退部に収容されているので、ハンドバッグ本体の正面壁の外観上も、触覚上も、第１磁石による凹凸感が解消されるか、緩和される。また、第１磁石と表生地との間にあるクッション性シートの厚さが、後退部により薄くなっているので、第１磁石と第２磁石との間の磁気的吸引力が妨げられない。さらに、第１磁石は、シート状芯材に固定されているので、第２磁石から受ける吸引力により、外方に張り出すように表生地を押し出すおそれがない。
【００１１】
本考案のうち第３の態様によるものは、第１又は第２の態様によるハンドバッグであって、前記被せ蓋は、表側から順に、表生地、クッション性シート、シート状芯材、及び裏生地を有する積層構造をなしている。また、前記第２磁石は、前記被せ蓋の前記裏生地と前記シート状芯材との間に設置され、かつ前記シート状芯材に固定されている。
【００１２】
この構成によれば、被せ蓋が、表裏の生地のほかに、クッション性シートとシート状芯材とを有する積層構造をなすので、ハンドバッグの被せ蓋に相応しく、柔軟性と形態性とを併せ持つ。第２磁石は、被せ蓋の裏生地とシート状芯材との間に設置されているので、第１磁石と第２磁石との間の磁気的吸引力が妨げられない。また、第２磁石は、シート状芯材に固定されているので、第１磁石から受ける吸引力により、外方に張り出すように裏生地を押し出すおそれがない。
【００１３】
本考案のうち第４の態様によるものは、第１から第３のいずれかの態様によるハンドバッグであって、前記第１磁石と前記２磁石とは、ともに板状であり、平坦な主面同士が互いに引き合うものである。
【００１４】
この構成によれば、第１磁石が板状であるので、凹凸感を無くして、あるいは低くして、ハンドバッグ本体の正面壁の表生地より内側に、第１磁石を設けることができる。同じく、第２磁石が板状であるので、凹凸感を無くして、あるいは低くして、被せ蓋の裏生地よりも内側に、第２磁石を設けることができる。また、第１及び第２磁石は、凹凸が噛み合ったときに強い磁気的吸引力を発揮する形態の磁石ではなく、平坦な主面同士が互いに引き合うことにより、互いに固定されるので、被せ蓋を閉じるのみで、双方の磁石同士の吸引力が最も強くなる位置へ収まるように、被せ蓋の先端側がハンドバッグ本体の表面壁の上を滑り、互いに固定される。すなわち、第１及び第２磁石の着脱が、さらに容易である。
【００１５】
本考案のうち第５の態様によるものは、第１から第４のいずれかの態様によるハンドバッグであって、前記被せ蓋の前記基端側は、ホックにより、前記ハンドバッグ本体の前記背面壁に着脱自在である。
【００１６】
この構成によれば、被せ蓋の着脱が容易である。
【００１７】
本考案のうち第６の態様によるものは、第１から第５のいずれかの態様によるハンドバッグであって、前記被せ蓋と取り替え可能であり、かつ表面のデザインが異なる別の被せ蓋を、さらに備えている。
【００１８】
この構成によれば、ハンドバッグを携帯する場面、服装等に応じて、デザインの異なる被せ蓋を、ハンドバッグ本体に装着することが可能である。
【考案の効果】
【００１９】
以上のように本考案によれば、被せ蓋が着脱自在のハンドバッグにおいて、被せ蓋の先端側をハンドバッグ本体の正面壁に、着脱自在に固定することができ、しかも着脱が容易であり、かつ脱着したときに留め具が外部に露出しない、ハンドバッグが実現する。
【図面の簡単な説明】
【００２０】
【図１】本考案の一実施の形態によるハンドバッグを、正面側から斜めに見た外観を例示する斜視図であり、（ａ）は被せ蓋、（ｂ）はハンドバッグ本体を表している。
【図２】図１のハンドバッグを、背面側から斜めに見た外観を例示する斜視図であり、（ａ）は被せ蓋、（ｂ）はハンドバッグ本体を表している。
【図３】図１のハンドバッグの一部の内部構造を示す断面図であり、（ａ）は磁石が配置された部位を含むハンドバッグ本体の正面壁の一部の断面図であり、（ｂ）は磁石が配置された部位を含む被せ蓋の先端側の一部の断面図である。
【考案を実施するための形態】
【００２１】
図１は、本考案の一実施の形態によるハンドバッグを正面側から見た斜視図である。また、図２は、同ハンドバッグを背面側から見た斜視図である。このハンドバッグ１０１は、ハンドバッグ本体１、被せ蓋３、及び手提げ帯５を有している。ハンドバッグ本体１は、収容物を収容する部分であり、上端に開口７が形成されており、この開口７を通じて収容物を出し入れ可能となっている。ハンドバッグ本体１の左右の側面壁９には、手提げ帯５の両端部がそれぞれ取付けられている。図１及び図２の例では、双方の側面壁９は折り曲げられており、上端の幅が広狭可変となっている。
【００２２】
被せ蓋３は、ハンドバッグ本体１の開口７を覆うシート状の部材である。被せ蓋３は、ハンドバッグ本体１とは別体であり、ハンドバッグ本体１に着脱（すなわち装着及び脱着）自在である。着脱自在であるから、デザインの異なる被せ蓋３を用意して、自在に取り替えることができ、それにより、共通のハンドバッグ本体１を使用しつつ、様々な場面に適合した異なるデザインのハンドバッグとして、ハンドバッグ１０１を使用することが可能となる。
【００２３】
図１及び図２の例では、被せ蓋３は、ホックによりハンドバッグ本体１に着脱自在に固定される。より詳細に述べると、ハンドバッグ本体１の背面壁１０には、表生地から露出するように、ホックの凹部材１１，１３が取り付けられており、被せ蓋３の基端側には、裏生地から露出するように、ホックの凸部材１５，１７が取り付けられている。図２において、ホックの凸部材１５，１７は、被せ蓋３の生地に隠れて見えない部分であるので、点線で表している。ホックの凹部材１１，１３及び凸部材１５，１７の取付け方法は、従来周知であるので、詳述を略する。凸部材１５，１７は、凹部材１１，１３にそれぞれ係合させることができ、それにより両者は着脱自在に固定される。このように、被せ蓋３は、ホックによりハンドバッグ本体１に着脱自在に装着されるので、着脱の操作が容易である。
【００２４】
ハンドバッグ本体１に装着された被せ蓋３は、開閉自在に開口７を覆う。すなわち、装着された被せ蓋３は、着脱自在ではない、通常のハンドバッグの被せ蓋と同様に機能する。ハンドバッグ本体１の正面壁２０には、磁石２１が取り付けられている。磁石２１は、正面壁２０の表生地から露出しないように、表生地より内側に設置されている。このため、図１において磁石２１は点線で表している。被せ蓋３の先端側には、別の磁石２３が取り付けられている。磁石２３は、被せ蓋３の裏生地から露出しないように、裏生地より内側に設置されている。磁石２１及び２３は、いずれも外部に露出はしないものの、互いに磁力を及ぼすことにより、互いに引き合い、着脱自在に互いに固定される。磁石２１及び２３が互いに固定されることにより、被せ蓋３を閉じた状態に保持することができる。すなわち、磁石２１及び２３は、被せ蓋３を開閉自在に閉じた状態に保持する留め具として機能する。磁石２１及び２３は、好ましくは、コンパクトでありながら磁力の強いネオジム磁石である。
【００２５】
磁石２１及び２３は、磁力により互いに固定されるので、着脱（すなわち装着及び脱着）が、特に容易であるという利点がある。被せ蓋３が開くように、先端側を引くことにより、磁石２１と磁石２３の固定状態は容易に解除される。また、磁石２１及び２３は、いずれも外部に露出しないので、被せ蓋３の開閉状態に関わりなく、外部からは見えない。すなわち、ハンドバッグ本体１及び被せ蓋３のデザイン性が損なわれない。
【００２６】
図３は、ハンドバッグ１０１のうち、磁石２１が配置された付近の正面壁２０の断面図（図３（ａ））、及び磁石２３が配置された付近の被せ蓋３の断面図（図３（ｂ））である。図３（ａ）に示すように、ハンドバッグ本体１の正面壁２０は、表側から順に、表生地３１、クッション性シート３３、シート状芯材３５，３７、及び裏生地３９を有する積層構造をなしている。クッション性シート３３により、柔軟性が付与され、シート状芯材３５，３７により、形態を保持しようとする形態性が付与される。クッション性シート３３は、例えばスポンジのシートである。また、シート状芯材３５，３７は、例えばボール芯である。図３（ａ）に例示するように、好ましくは２枚のシート状芯材３５，３７が用いられる。そうすることにより、柔軟性と形態性との、より良いバランスが実現する。
【００２７】
クッション性シート３３の裏面、すなわちシート状芯材３５に向き合う面は、局部的に表面側に後退している。それにより、クッション性シート３３には、裏面から陥没した後退部４１が形成されている。磁石２１は、この後退部４１に収容されている。また、磁石２１は、磁石２３から受ける吸引力により、外方に張り出すように表生地３１を押し出すことのないように、シート状芯材３５の表面に、接着剤等により固着されている。図３の例では、磁石２１は板状であり、好ましくは、表生地３１を傷つける恐れがないように、角（かど）のない円形板状である。磁石２１が後退部４１に収容されているので、ハンドバッグ本体１の正面壁２０が、磁石２１の部位で局所的に厚くなることがなく、外観上凹凸感がない。また、触覚上も凹凸感が和らげられる。また、磁石２１と表生地３１との間に介在するクッション性シート３３の厚さは、クッション性シート３３の他の部分の厚さよりも、薄くなっている。その分、表生地３１の外部に及ぼす磁石２１の磁場が強くなるので、被せ蓋３の磁石２３を大きい磁力で吸引することができる。
【００２８】
図３（ｂ）に示すように、被せ蓋３は、表側から順に、表生地５１、クッション性シート５３、シート状芯材５５、５７、及び裏生地５９を有する積層構造をなしている。クッション性シート５３、及びシート状芯材５５、５７の材質及び役割は、ハンドバッグ本体１の正面壁２０の対応する部材と同様である。磁石２３は、裏生地５９とシート状芯材５７との間に設置されている。磁石２３は、磁石２１から受ける吸引力により、外方に張り出すように裏生地５９を押し出すことのないように、シート状芯材５７の表面に、接着剤等により固着されている。また、磁石２３は、裏生地５９とシート状芯材５７との間に設置されているので、裏生地５９の外部に及ぼす磁石２３の磁場が強くなる。その結果、磁石２３は、ハンドバッグ本体１の磁石２１から、大きい磁力をもって吸引される。図３の例では、磁石２３は板状であり、好ましくは、裏生地５９を傷つける恐れがないように、角（かど）のない円形板状である。磁石２３は、固着される位置が定まるように、磁石２１と同一寸法ないし略同一寸法に形成される。
【００２９】
磁石２１，２３は、ともに板状であり、平坦な主面同士が互いに引き合うように、磁極が形成されている。磁石２１，２３が板状であることも、ハンドバッグ本体１の正面壁２０及び被せ蓋３に、凹凸感が生じることを抑えるように寄与する。また、磁石２１、２３は、凹凸が噛み合ったときに強い磁気的吸引力を発揮するという、従来周知の留め具としての磁石ではなく、平坦な主面同士が互いに引き合うことにより、互いに固定される。しかも、磁石２１，２３の間には、表生地２１及び裏生地５０が介在する。このため、被せ蓋３を閉じるのみで、互いの吸引力が最も強くなる位置へ収まるように、被せ蓋３の先端側がハンドバッグ本体１の表面壁２０の表面上を滑り、互いに固定される。すなわち、磁石２１、２３の着脱がさらに容易であり、それにより被せ蓋３の開閉がさらに容易となる。
【００３０】
ハンドバッグ１０１は、被せ蓋３の基端側が、ハンドバッグ本体１の背面壁１０に、ホックにより着脱自在となるように構成された。これに対し、ホックに代えて、例えば面ファスナーなど、他の着脱自在に互いに固定される留め具を用いることも可能である。
【符号の説明】
【００３１】
１  ハンドバッグ本体
３  被せ蓋
５  手提げ帯
７  開口
９  側面壁
１０  背面壁
１１，１３  ホックの凹部材
１５，１７  ホックの凸部材
２０  正面壁
２１  磁石（第１磁石）
２３  磁石（第２磁石）
３１  表生地
３３  クッション性シート
３５，３７  シート状芯材
３９  裏生地
４１  後退部
５１  表生地
５３  クッション性シート
５５、５７  シート状芯材
５９  裏生地
１０１  ハンドバッグ
【図１】
0003199807.tif 000003
【図２】
0003199807.tif 000004
【図３】
0003199807.tif 000005